(57)【要約】      （修正有）【課題】日本語入力方式として、ローマ字入力と親指シフト入力を可能とするＪＩＳキーボードを提供する。【解決手段】キーボード１列目は、２列目Ｂキーの縦中心線の１列目左側に、左から左親指で打鍵するＥｎｔｅｒキー１を増設、無変換キー２を並べて配置する。更にＢキー縦中心線１列目右側に、左から変換キー３、空白キー４を並べて配置し、右親指で打鍵する。キーボード２列目はＳｈｉｆｔキー５を更に右手ホームポジション圏に、より近づけるべく記号「：」キーと互換移動し、「？／」キーの右隣りに配置する。キーボード３列目は右小指ホームポジション「＋；」キーの右隣に左からＢａｃｋ  Ｓｐａｃｅキー６、Ｄｅｌｅｔｅキー７、Ｅｎｔｅｒキー８を配置する。【選択図】図１
2019192182.tif 000002
【特許請求の範囲】
【請求項１】
ＪＩＳキーボード１列目。２列目のＢキーの縦中心線の１列目左側に、左から左親指で打鍵するＥｎｔｅｒキー（１）を増設、次いで無変換キー（２）を配置する。更にＢキー縦中心線の１列目右側に、左から右親指で打鍵する変換キー（３）、空白キー（４）を配置した日本語標準キーボード。
【請求項２】
2019192182.tif 000004
キー（５）を「？／」キーの右隣に配置した日本語標準キーボード。
【請求項３】
キーボード３列目。右小指ホームポジション「＋；」キーの右隣に左からＢａｃｋ  Ｓｐａｃｅキー６、Ｄｅｌｅｔｅキー７、Ｅｎｔｅｒキー８を配置した日本語標準キーボード。
【発明の詳細な説明】
【技術分野】
【０００１】  本発明はコンピュータのＪＩＳキーボードに於いて、文字入力作業者の両手指の打鍵範囲を限りなく狭められる適切な位置にキーを配置し、思考を妨げることなく文字入力の高効率化を目指し、ローマ字入力と本格的な親指シフト入力を可能とするキー配列のキーボードに関するものである。
【背景技術】
【０００２】  現行ＪＩＳキーボードでひらがな直接入力を行うには、両手指の打鍵範囲が驚くほど広く非能率的であり、利用者は極一部に留まっている。一方で現行ＪＩＳキーボード使用者の殆どはローマ字入力という、日本語入力として本来あるまじき入力方法を余儀なくされており、打鍵数が多い割りには文章作成速度は上がらず、文字入力作業の現場では文書作成能力向上の大きな問題となっている。
【発明の概要】
【発明が解決しようとする課題】
【０００３】  本発明は、キーボードで文字入力中は、両手指の打鍵範囲を限りなく狭めて、且つ各指のホームポジションから限りなく離れない位置で、入力作業することを鉄則とし、文字入力作業者の思考を妨げない入力が可能なキー配列のキーボードを提供する。【０００４】  本発明キーボードの狙いは、文字キーの配列は変更せずに、記号、Ｅｎｔｅｒ、Ｓｈｉｆｔ、Ｂａｃｋ  Ｓｐａｃｅ、Ｄｅｌｅｔｅ等キーの、増設と適切な配置を行い、それぞれの入力モード（ローマ字、親指シフト、英文）を可能とするキーボードを提供する。
【課題を解決するための手段】
【０００５】  キーボード１列目。２列目のＢキーの縦中心線の１列目左側に、左からＥｎｔｅｒキー１、を増設し、無変換キー２を並べて配置する。更にＢキー縦中心線１列目右側に、左から変換キー３、空白キー４を並べて配置する。【０００６】  キーボード２列目。Ｓｈｉｆｔキー５をホームポジション圏内に、より近づけるべく記
2019192182.tif 000003
【０００７】  キーボード３列目。右小指ホームポジション「＋；」キーの右隣に左からＢａｃｋ  Ｓｐａｃｅキー６、Ｄｅｌｅｔｅキー７、Ｅｎｔｅｒキー８を配置する。
【発明の効果】
【０００８】  本発明に於いては、効き指ながらも比較的打鍵機会の少ない左親指に、Ｅｎｔｅｒキー打鍵を割り当てることで、それぞれの入力モード（ローマ字、親指シフト、英文）で、右手指の負担軽減となる。とりわけローマ字入力時のかな漢字変換・選択後の「確定」はＥｎｔｅｒキーを頻繁に打鍵するので、右手指の負担が大きく軽減される。【０００９】  キーボード右側の、Ｂａｃｋ  Ｓｐａｃｅ、Ｄｅｌｅｔｅ、Ｓｈｉｆｔ、Ｅｎｔｅｒ等キーを、右手ホームポジション圏に、より近づけるべく右手指の打鍵範囲が狭められ、入力作業者の思考を妨げない自然な文字入力の高効率化に寄与する。
【図１】
2019192182.tif 000005
【手続補正書】
【提出日】平成30年8月31日(2018.8.31)
【手続補正１】
【補正対象書類名】明細書
【補正対象項目名】全文
【補正方法】変更
【補正の内容】
【発明の詳細な説明】
【技術分野】
【０００１】  本発明は、コンピューターのＪＩＳ配列キーボードに於いて、文字入力時の両手指の打鍵範囲を限りなく狭められる適切な位置にキーを配置し、文字入力の高効率化を目指し、ローマ字入力、親指シフト入力を可能とするキー配列のキーボードに関するものである。
【背景技術】
【０００２】  現行ＪＩＳキーボードでひらがな直接入力を行うには、両手指の打鍵範囲が広く、指がホームポジションを離れて非能率的であり、ひらがな直接入力利用者はごく一部に留まっている。一方で現行ＪＩＳキーボード使用者の殆どがローマ字入力という、日本語入力方法としては打鍵数が多い割りには文章作成速度は上がらず、文字入力作業の現場では文書作成効率向上の大きな課題となっている。
【発明の概要】
【発明が解決しようとする課題】
【０００３】  本発明は、キーボードで文字入力中は、両手指の打鍵範囲を限りなく狭めて、且つ各指がホームポジションから限りなく離れない位置で、入力作業をすることを鉄則とし、効率よく文字入力が可能なキー配置のキーボードを提供する。【０００４】  本発明キーボードの狙いは、記号キー、Ｅｎｔｅｒキー、Ｓｈｉｆｔキー、Ｂａｃｋ  Ｓｐａｃｅキー、Ｄｅｌｅｔｅキー等の増設や適切な配置を行い、ローマ字入力、親指シフト入力及び英文入力を効率よく入力可能なキーボードを提供する。
【課題を解決するための手段】
【０００５】  キーボード１列目。２列目の「Ｂ」キーの縦中心線の１列目左側に無変換キー２を配置する。更に無変換キー２の左隣に増設Ｅｎｔｅｒキー１を並べて配置する。次に「Ｂ」キー縦中心線１列目右側に、左から変換キー３と空白キー４を並べて配置する。【０００６】  キーボード２列目。Ｓｈｉｆｔキー５を右手指ホームポジション圏内に、より近づける
2019192182.tif 000006
【０００７】  キーボード３列目。右小指ホームポジション「＋；」キーの右隣に、左から順にＢａｃｋ  Ｓｐａｃｅキー６、Ｄｅｌｅｔｅキー７、Ｅｎｔｅｒキー８を並べて配置する。
【発明の効果】
【０００８】  本発明に於いては、利き指ながらも比較的打鍵頻度の少ない左親指に、増設Ｅｎｔｅｒキー打鍵を割り当てることで、ローマ字入力、親指シフト入力及び外国語入力時の、右手指の打鍵負担軽減となる。とりわけローマ字入力時のかな漢字変換後の「確定」は、Ｅｎｔｅｒキーを右手指で頻繁に打鍵するので、右手指の打鍵負担が大きく軽減される。【０００９】  キーボード右側の、Ｂａｃｋ  Ｓｐａｃｅキー、Ｄｅｌｅｔｅキー、Ｓｈｉｆｔキー、Ｅｎｔｅｒキー等を、右手指ホームポジション圏により近づけてやることで、右手指の打鍵範囲が狭められ、文字入力の高効率化に寄与する。
【図面の簡単な説明】
【００１０】
【図１】図１は、日本語標準キーボードのキー配列を示した図である。
【符号の説明】１．  増設Ｅｎｔｅｒキー
２．  無変換キー
３．  変換キー
４．  空白（Ｓｐａｃｅ）キー
５．  Ｓｈｆｉｔキー
６．  Ｂａｃｋ  Ｓｐａｃｅキー
７．  Ｄｅｌｅｔｅキー
８．  Ｅｎｔｅｒキー
【手続補正書】
【提出日】平成30年8月31日(2018.8.31)
【手続補正１】
【補正対象書類名】図面
【補正対象項目名】全図
【補正方法】変更
【補正の内容】
【図１】
2019192182.tif 000007